(57)【要約】【課題】機内の商品に対する防盗性を確保しながら、搬出された商品の視認性の向上を図るとともに、該商品を容易に掴むことができる自動販売機の商品取出装置を提供すること。【解決手段】前面に開口する商品取出口１４を臨む態様で、機内から搬出された商品Ｗを受け止めるための商品受け箱２１を備えた自動販売機の商品取出装置２０において、商品取出口１４の下縁部近傍から商品受け箱２１の内部に突出した態様のブロック材２３を備えたものである。また、商品受け箱２１は、商品Ｗの幅よりも大きい凹所２６を形成する態様で縦断面が湾曲形状を有して成る底板２１１を備えたものである。【選択図】        図２
2005228115.tif 000002
【特許請求の範囲】
【請求項１】
前面に開口する商品取出口を臨む態様で、機内から搬出された商品を受け止めるための商品受け箱を備えた自動販売機の商品取出装置において、
前記商品取出口の下縁部近傍から前記商品受け箱の内部に突出した態様のブロック材を備えたことを特徴とする自動販売機の商品取出装置。
【請求項２】
前記商品受け箱は、前記商品の幅よりも大きい凹所を形成する態様で縦断面が湾曲形状を有して成る、前記商品を載置するための商品載置部を備えたことを特徴とする請求項１に記載の自動販売機の商品取出装置。
【請求項３】
前記商品受け箱を構成する一対の側板間に延びる態様でフラッパー部材が揺動自在に配設してあることを特徴とする請求項１または請求項２に記載の自動販売機の商品取出装置。
【発明の詳細な説明】
【技術分野】
【０００１】
本発明は、例えば缶入り飲料、瓶入り飲料およびペットボトル入り飲料等の各種商品を販売する自動販売機の商品取出装置の改良に関する。
【背景技術】
【０００２】
例えば缶入り飲料、瓶入り飲料およびペットボトル入り飲料等の各種商品を収納して販売する自動販売機の商品取出装置としては、自動販売機の前面に開口する商品取出口を臨む態様で、機内から搬出された商品を受け止めるための商品受け箱を備えたものが一般的である。
【０００３】
このような商品取出装置における商品受け箱の内部には、商品取出口から腕を進入させて機内にある商品を盗むことを防止するために、図１１に示したように、商品受け箱２１０の内部を区画する複数の仕切板２２０が設けられている。
【発明の開示】
【発明が解決しようとする課題】
【０００４】
ところが、上述のように、商品受け箱２１０の内部を複数の仕切板２２０で区画すると、これら仕切板２２０により生ずる死角で機内から搬出された商品を利用者が商品取出口１４０を介して容易に視認できない虞れがあった。
【０００５】
また、これら仕切板２２０の存在により、利用者が搬出された商品を容易に掴むことができない虞れがあった。
【０００６】
本発明は、上記実情に鑑みて、機内の商品に対する防盗性を確保しながら、搬出された商品の視認性の向上を図るとともに、該商品を容易に掴むことができる自動販売機の商品取出装置を提供することを目的とする。
【課題を解決するための手段】
【０００７】
上記目的を達成するために、本発明の請求項１に係る自動販売機の商品取出装置は、前面に開口する商品取出口を臨む態様で、機内から搬出された商品を受け止めるための商品受け箱を備えた自動販売機の商品取出装置において、前記商品取出口の下縁部近傍から前記商品受け箱の内部に突出した態様のブロック材を備えたことを特徴とする。
【０００８】
また、本発明の請求項２に係る自動販売機の商品取出装置は、上記請求項１において、前記商品受け箱は、前記商品の幅よりも大きい凹所を形成する態様で縦断面が湾曲形状を有して成る、前記商品を載置するための商品載置部を備えたことを特徴とする。
【０００９】
また、本発明の請求項３に係る自動販売機の商品取出装置は、上記請求項１または上記請求項２において、前記商品受け箱を構成する一対の側板間に延びる態様でフラッパー部材が揺動自在に配設してあることを特徴とする。
【発明の効果】
【００１０】
本発明の自動販売機の商品取出装置によれば、ブロック材が、商品取出口の下縁部近傍から商品受け箱の内部に突出した態様で備えてあるので、従来のように商品受け箱を区画する仕切板を要することなく、商品取出口から腕を進入させて機内にある商品を盗むことを防止することができる。仕切板を要しないために、かかる仕切板の存在により生ずる死角で機内から搬出された商品を利用者が商品取出口を介して容易に視認できない虞れや、利用者が搬出された商品を容易に掴むことができない虞れがない。そのため、搬出された商品の視認性の向上を図るとともに、該商品を容易に掴むことができるという効果を奏する。
【発明を実施するための最良の形態】
【００１１】
以下に添付図面を参照して、本発明に係る自動販売機の商品取出装置の好適な実施の形態を詳細に説明する。
【００１２】
図１は、本発明の実施の形態に係る商品取出装置が適用された自動販売機を示した正面図である。この図１において、自動販売機は、缶入り飲料やペットボトル入り飲料等の商品Ｗを販売するためのもので、本体キャビネット１を備えている。
【００１３】
本体キャビネット１は、前面が開口した直方状の断熱筐体として形成したものであり、その内部には、図１には明示しないが、複数の独立した収容庫３（図２参照）が左右に並設してある。これら収容庫３は、商品Ｗを所望の温度に維持した状態で収容するためのものである。各収容庫３には、商品Ｗを収納する商品収納ラック４（図２参照）が配設してある一方、シュータ５（図２参照）によって区画される下方部に熱交換器（図示せず）が配設してあり、該熱交換器の駆動により、商品収納ラック４に収納した商品Ｗを所望の冷却温度、あるいは加熱温度に維持することが可能である。
【００１４】
上記自動販売機には、本体キャビネット１の一側縁部に扉体６を設けてある。扉体６は、内扉６ａ（図２参照）と、外扉６ｂとを備えて構成してある。内扉６ａは、本体キャビネット１に設けた収容庫３の前面を覆うに十分な大きさを有したものである。この内扉６ａの下方側には、シュータ５を通じて搬出された商品Ｗの搬出口７（図２参照）が設けてあり、各搬出口７には、該搬出口７を開閉するための商品払出扉８（図２参照）が設けてある。
【００１５】
外扉６ｂは、本体キャビネット１の前面開口を覆うに十分な大きさを有したものである。この外扉６ｂには、その前面側に、商品選択ボタン９、硬貨投入口１０、紙幣挿入口１１、一体表示器１２、硬貨返却口１３、商品取出口１４が設けてある。一方、外扉６ｂの後面側には、図には明示しないが、硬貨処理機、硬貨回収箱、紙幣処理機が設けてある。
【００１６】
商品選択ボタン９は、利用者が購入商品を選択するための押ボタンスイッチである。硬貨投入口１０は、利用者が硬貨を投入するための開口である。この硬貨投入口１０を通じて投入された硬貨は、硬貨処理機においてその金種が識別され、その後、硬貨回収箱に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、商品収納ラック４から搬出された商品を利用者が取り出すための開口である。この商品取出口１４には、該商品取出口１４を開閉するための商品取出扉１５が設けてある。
【００１７】
図２および図３は、それぞれ図１における自動販売機を構成する商品取出装置を示したものであり、図２は断面側面図、図３は背面図である。これら図２および図３において、自動販売機の商品取出装置２０は、外扉６ｂの商品取出口１４の背面側に形成してあり、商品受け箱２１と、緩衝材２２と、複数のブロック材２３と、フラッパー部材２４とを備えて構成してある。
【００１８】
商品受け箱２１は、商品取出口１４を背面側から臨む態様で配設してあり、商品収納ラック４から搬出機構４ａおよびシュータ５を通じて搬出された商品Ｗを受け止めるためのものである。この商品受け箱２１は、底板（商品載置部）２１１と、天板２１２と、一対の側板２１３と、シート材２１４とから構成してある。
【００１９】
底板２１１は、一対の側板２１３の間において配設してあり、搬出された商品Ｗを載置するためのものである。この底板２１１は、図２に示したように、縦断面が湾曲形状を成しており、前縁部分が商品取出口１４の下縁部分に化粧枠材２５を介して固定してある。また、底板２１１は、かかる湾曲形状により凹所２６を形成してある。凹所２６は、搬出された商品Ｗの最大径（最大幅）よりも大きいものである。
【００２０】
天板２１２は、一対の側板２１３の間において配設してあり、フラッパー部材２４を支持するためのものである。一対の側板２１３は、それぞれの前縁端部が外扉６ｂの背面に接合しており、底板２１１および天板２１２を両側より支持するものである。これら側板２１３には、それぞれ底板２１１の上面より僅かに上方の部分に複数の貫通孔２７が形成してある。複数の貫通孔２７は、水や塵等を商品受け箱２１の外部に排出するためのものである。
【００２１】
側板２１３のそれぞれの下部には、下方に延びる態様の支持片２８が形成してある。支持片２８は、下方に延びる垂下部２８１と、垂下部２８１の一端縁部から対向する側板２１３に向けて直角に屈曲した水平部２８２とを有している。
【００２２】
シート材２１４は、商品受け箱２１の底板２１１の形状に合わせて湾曲して該底板２１１の表面（上面）を覆う態様で配設してある。このシート材２１４は、例えばポリエチレン等の樹脂材に帯電防止剤を含有させて製造した平板状のものである。
【００２３】
また、シート材２１４は、前縁部分が上記底板２１１と同様に化粧枠材２５を介して固定して配設してある一方、後縁部分がカバー部材２９で押圧されて上下方向（底板２１１と離間する方向）への移動が規制された態様で配設してある。より詳細に説明すると、シート材２１４の後縁部分は、図４に拡大して示したように、締結手段３１により底板２１１の後縁部分に締結されたカバー部材２９に押圧されて支持してある。これにより、シート材２１４の後縁部分は、底板２１１と離間する方向への移動は規制されるが、図５に示したように前後方向への移動については規制されない。つまり、シート材２１４は、前縁部分が固定端とし、後縁部分が自由端として配設してある。また、シート材２１４の左右方向への移動については、図には明示しないが、側板２１３により規制してある。
【００２４】
緩衝材２２は、例えば発泡ポリウレタン等の弾性材より形成したものであり、クッション材としての機能を発揮するものである。この緩衝材２２は、シート材２１４の裏面に貼り付けて配設してある。より詳細に説明すると、緩衝材２２は、シート材２１４の所定の領域、すなわち搬出された商品Ｗと当接可能な領域の裏面に貼り付けてある。つまり、緩衝材２２は、シート材２１４と、底板２１１とに介在して配設してある。
【００２５】
複数のブロック材２３は、それぞれ例えばプラスチック材から形成したものである。これらブロック材２３は、それぞれ外扉６ｂにおける商品取出口１４の下縁部分の背面に、商品受け箱２１の内部に突出した態様で、図示しない締結手段に支持されて配設してある。また、ブロック材２３は、図３に示したように、所定の間隔ごとに配設してある。
【００２６】
フラッパー部材２４は、商品受け箱２１の内部における一対の側板２１３の間において、前後方向に沿って揺動自在に配設してある。より詳細に説明すると、フラッパー部材２４は、基端側に係合部２４１、先端側に折曲部２４２を備えてあり、係合部２４１が、商品受け箱２１の天板２１２に形成した係止片２１２１の係止ピン２１２２に係合して、前後方向に揺動自在に配設してある。ここに、係合部２４１は、図２に示したように後方側に湾曲して成り、そのため係止ピン２１２２と着脱可能になっている。従って、フラッパー部材２４は、着脱自在である。
【００２７】
以下に、フラッパー部材２４の取り外し、および収納について説明する。図６〜図１０は、それぞれフラッパー部材の取り外し、および収納について説明するための説明図である。
【００２８】
まず、図６に示したように、フラッパー部材２４を後方に向けて揺動させ、その状態を保持したままで、図７に示したように、前方に向けて移動させる。これにより、フラッパー部材２４の係合部２４１と、天板２１２の係止ピン２１２２との係合状態が解除される。その後、図８に示したように、フラッパー部材２４を後方側に引き出すことにより、フラッパー部材２４は、商品取出装置２０（商品受け箱２１）から取り外されたことになる。
【００２９】
次に、図９に示したように、取り外したフラッパー部材２４を商品受け箱２１の下方に進入させる。より詳細に説明すると、フラッパー部材２４を、係合部２４１を前方に、折曲部２４２を後方にして、一対の側板２１３のそれぞれの支持片２８の間に進入させる。これにより、フラッパー部材２４は、図１０に示したように、係合部２４１を外扉６ｂの裏面に配置し、折曲部２４２を支持片２８で支持した態様で収納されることになる。
【００３０】
このようにフラッパー部材２４を収納することにより、外扉６ｂを開動作、あるいは閉動作させた場合にも、支持片２８がフラッパー部材２４の慣性力による移動を規制するので、フラッパー部材２４が外扉６ｂの外部に移動してしまう虞れがない。
【００３１】
以上説明したように、本発明の実施の形態に係る自動販売機の商品取出装置２０によれば、ブロック材２３が商品取出口１４の下縁部分の背面に、商品受け箱２１の内部に突出した態様で配設してあるので、従来のように商品受け箱を区画する仕切板（２２０）を要することなく、商品取出口１４から腕を進入させて機内にある商品Ｗを盗むことを防止することができる。仕切板（２２０）を要しないために、かかる仕切板（２２０）の存在により生ずる死角で機内から搬出された商品Ｗを利用者が商品取出口を介して容易に視認できない虞れや、利用者が搬出された商品Ｗを容易に掴むことができない虞れがない。そのため、搬出された商品Ｗの視認性の向上を図るとともに、該商品Ｗを容易に掴むことができる。特に、底板２１１が、上述のように湾曲形状を有して成るので、商品取出口１４より腕を進入させた場合に、かかる形状により肘の位置を規制することができ、機内にある商品Ｗの防盗性をより向上させることができる。また、仕切板（２２０）を要しないために、フラッパー部材２４を一対の側板２１３間に延びる大きさの一部品とすることができ、部品点数の削減を図ることもできる。
【００３２】
また、上記商品取出装置２０によれば、商品受け箱２１の底板２１１が、商品Ｗの幅よりも大きい凹所２６を形成する態様で縦断面が湾曲形状を有して成るので、搬出された商品Ｗを凹所２６内に位置させることができ、つまり、搬出された商品Ｗの位置を規制することができ、これにより、該商品Ｗの視認性の向上を図ることができる。また、上記凹所２６は、商品Ｗの幅よりも大きいので、搬出された商品Ｗの周囲に十分なスペースを確保することができ、その結果、利用者が容易に該商品Ｗを掴むことができる。特に、底板２１１の縦断面が湾曲形状であるために、商品受け箱２１の前後方向の長さを必要以上に大きくしなくても、上記凹所２６を形成することができる。
【００３３】
更に、上記商品取出装置２０によれば、商品受け箱２１の一対の側板２１３には、複数の貫通孔２７が形成してあるので、商品受け箱２１の内部に水や塵等の異物が進入した場合に、かかる異物を商品受け箱２１の外部に排出することができる。その結果、商品受け箱２１の内部に進入した異物を容易に外部に排出して清掃作業の簡易化を図ることができる。特に、底板２１１が、上述のように湾曲形状を有して成るので、異物が底板２１１の最下部に集まることが考えられるため、排出孔２７を底板２１１の最下部近傍に形成するだけで良い。
【００３４】
また、上記商品取出装置２０によれば、シート材２１４が帯電防止剤を含有して成るので、かかるシート材２１４の表面に静電気の作用により塵等の異物が付着してしまうことを抑制することができる。また、シート材２１４は、前縁部分が固定端とし、後縁部分が自由端として、前後方向へ移動可能に配設してあるので、搬出された商品Ｗがシート材２１４の表面に当接する場合に、シート材２１４が前方に向かって移動して該商品Ｗの当接による衝撃の一部を吸収することになる。そのため、緩衝材２２が厚み方向に変形することにより吸収する衝撃の割合を低減させることができ、シート材２１４および緩衝材２２の使用寿命の長期化を図ることができる。シート材２１４の後縁部分を自由端とすることにより、上述のように底板２１１が湾曲形状を有して成る場合であっても、かかる底板２１１の表面形状に応じて前方に向かって移動させることができる。
【００３５】
また更に、上記商品取出装置２０によれば、緩衝材２２がシート材２１４の裏面に貼り付けて配設してあるので、上述のように、搬出された商品Ｗが当接する場合にシート材２１４とともに前方に向かって移動することができる。そのため、かかる前方への移動により該商品Ｗの当接による衝撃の一部を吸収することができ、その結果、厚み方向に変形することにより吸収する衝撃の割合を低減させることができ、シート材２１４および緩衝材２２の使用寿命の長期化を図ることができる。また、緩衝材２２をシート材２１４の裏面に貼り付けて配設してあれば、シート材２１４を取り外して緩衝材２２を交換することができ、緩衝材２２の交換作業を容易に行うことができる。更に、上述のように底板２１１が湾曲形状を有して成る場合であっても、シート材２１４の裏面に貼り付けてから設置すれば良いので、かかる形状に影響を受けることなく交換作業を容易に行うことができる。
【００３６】
そして、上記商品取出装置２０によれば、商品受け箱２０の一対の側板２１３のそれぞれの下部に支持片２８が形成してあるので、取り外したフラッパー部材２４を、係合部２４１を外扉６ｂの裏面に配置し、折曲部２４２を支持片２８で支持した態様で収納させることができ、外扉６ｂを開動作、あるいは閉動作させた場合にも、支持片２８がフラッパー部材２４の慣性力による移動を規制するので、フラッパー部材２４が外扉６ｂの外部に移動して落下してしまう虞れがない。
【産業上の利用可能性】
【００３７】
以上のように、本発明に係る商品取出装置は、例えば缶入り飲料、瓶入り飲料およびペットボトル入り飲料等の各種商品を販売する自動販売機に有用である。
【図面の簡単な説明】
【００３８】
【図１】本発明の実施の形態に係る商品取出装置が適用された自動販売機を示した正面図である。
【図２】図１における自動販売機を構成する商品取出装置を示した断面側面図である。
【図３】図１における自動販売機を構成する商品取出装置を示した背面図である。
【図４】図２における商品受け箱の一部を拡大して示した拡大断面側面図である。
【図５】図２における商品受け箱の一部を拡大して示した拡大断面側面図である。
【図６】図２におけるフラッパー部材の取り外し、および収納について説明するための説明図である。
【図７】図２におけるフラッパー部材の取り外し、および収納について説明するための説明図である。
【図８】図２におけるフラッパー部材の取り外し、および収納について説明するための説明図である。
【図９】図２におけるフラッパー部材の取り外し、および収納について説明するための説明図である。
【図１０】図２におけるフラッパー部材の取り外し、および収納について説明するための説明図である。
【図１１】従来の自動販売機の商品取出装置を示した背面図である。
【符号の説明】
【００３９】
１４    商品取出口
１５    商品取出扉
２０    商品取出装置
２１    商品受け箱
２１１    底板
２１２    天板
２１３    側板
２１４    シート材
２２    緩衝材
２３    ブロック材
２４    フラッパー部材
２５    化粧枠材
２６    凹所
２７    貫通孔
２８    支持片
２９    カバー部材
Ｗ    商品
【図１】
2005228115.tif 000003
【図２】
2005228115.tif 000004
【図３】
2005228115.tif 000005
【図４】
2005228115.tif 000006
【図５】
2005228115.tif 000007
【図６】
2005228115.tif 000008
【図７】
2005228115.tif 000009
【図８】
2005228115.tif 000010
【図９】
2005228115.tif 000011
【図１０】
2005228115.tif 000012
【図１１】
2005228115.tif 000013